(57)【要約】【課題】カバーが付いたまま、内器の操作を可能とし、また、無理にカバーを開けてもケースやカバーが破損しない電子機器カバーを実現する。【解決手段】平面状のカバー本体の一端縁に設けられたヒンジ状部によりケース本体に係止されケース本体に設けられた開口部をカバー本体が覆う電子機器カバーにおいて、カバー本体の一端縁の両端にそれぞれ設けられ一端がカバー本体の裏平面に直交して設けられケース本体に設けられた係止穴に挿入される柱状の第１の支持腕と、第１の支持腕の他端に一端がカバー本体の平面と平行にカバー本体の一端縁より突出する方向に直交して設けられ第１の支持腕とＬ字形を構成し係止穴に挿入される柱状の第２の支持腕と、第２の支持腕の他端にカバー本体の開閉回転軸の軸方向に突出して設けられ係止穴に係止される係止突起と、を具備したことを特徴とする電子機器カバーである。【選択図】図１
2012015188.tif 000002
【特許請求の範囲】
【請求項１】
平面状のカバー本体の一端縁に設けられたヒンジ状部によりケース本体に係止されケース本体に設けられた開口部をカバー本体が覆う電子機器カバーにおいて、
前記カバー本体の一端縁の両端にそれぞれ設けられ一端が前記カバー本体の裏平面に直交して設けられ前記ケース本体に設けられた係止穴に挿入される柱状の第１の支持腕と、
この第１の支持腕の他端に一端が前記カバー本体の平面と平行に前記カバー本体の一端縁より突出する方向に直交して設けられ前記第１の支持腕とＬ字形を構成し前記係止穴に挿入される柱状の第２の支持腕と、
この第２の支持腕の他端にカバー本体の開閉回転軸の軸方向に突出して設けられ前記係止穴に係止される係止突起と、
を具備したことを特徴とする電子機器カバー。
【請求項２】
平面状のカバー本体の一端縁に設けられたヒンジ状部によりケース本体に係止されケース本体に設けられた開口部をカバー本体が覆う電子機器カバーにおいて、
前記カバー本体に取り付けられた電池本体と、
この電池本体に一端が接続されるケーブルと、
このケーブルの他端に接続され前記ケース本体の開口部内の基板上に設けられたコネクタに接続されるコネクタと、
前記カバー本体に設けられ前記ケーブルの途中が係止され前記カバー本体の開閉に伴い前記ケーブルの途中が前記ケーブルのたるみを吸収できるようにカバー本体の平面に平行に移動でき且つ係止される移動係止手段と、
を具備したことを特徴とする電子機器カバー。
【請求項３】
前記係止移動手段は、カバー本体の一端縁側に一端が接続され途中が前記カバー本体の平面と平行をなして前記カバー本体と前記ケーブルの途中を挟持し他端が前記カバー本体との間に他端の弾性変形により前記ケーブルの途中が通過できるような隙間を有する係止腕
を具備したことを特徴とする請求項２記載の電子機器カバー。
【発明の詳細な説明】
【技術分野】
【０００１】
本発明は、電子機器カバーに関するものである。
【背景技術】
【０００２】
図２０は従来より一般に使用されている従来例の要部構成説明図である。
図において、電子機器のケース１の側面の内部などに付いた基板２の上のコネクタ４１にカバー３１を付ける場合、図２０に示す如く、ヒンジ状にカバー３１を取付ける。
ケース１の上下に突起部３を付け、カバー３１には穴３２を付けて、ケースの突起部３をカバーの穴３２に入れて、カバー３１とケース１を組立てる。
【０００３】
このようにすると、カバー３１はケース１から分離しないが、カバー３１を開く方向に無理に押して、カバーの開放角度を大きくすると、ケースの突起部３もしくはカバーの穴３２が破壊される。
【０００４】
カバー３１には、コネクタ４１にコネクタ接続される電池１１が取り付けられている。
電池１１にはケーブル１２とコネクタ１３が付いている。
そして、電池１１をケース１内で保持するために、カバー３１の下側には、電池１１を保持するための溝３３が付いている。
また、カバー３１の上側にも同様に電池１１を保持するための爪３４が付いている。
【０００５】
基板２の上には、電池のコネクタ１３を接続するコネクタ４１が付いている。
カバー３１に電池１１を取付け後、電池１１のコネクタ１３を基板上のコネクタ４１に接続させる。
ケースの突起部３に、カバー３１の穴３２を挿入し、カバーの止爪３５をケースの止爪４に付けて、カバー３１を閉じる。
【先行技術文献】
【特許文献】
【０００６】
【特許文献１】特開平０９−１７０６１９号公報
【特許文献２】特開２００２−０５１１３１号公報
【特許文献３】特開２００２−１３９０２４号公報
【特許文献４】特開２００４−０８５０７１号公報
【特許文献５】特開２００６−０５８４１４号公報
【特許文献６】特開２００6−１２９０３８号公報
【特許文献７】特開２００7−０１３８１３号公報
【発明の概要】
【発明が解決しようとする課題】
【０００７】
このような装置においては、以下の問題点がある。
無理にカバーの開放角度を大きくすると、ケースの突起部３またはカバーの穴３２が破壊される。ケースの突起部３またはカバーの穴３６が破壊すると、カバー３１を再びケース１に固定することが出来ないため、ケース本体、すなわち、製品本体１またはカバー３１を交換しなければならない。
【０００８】
ケース１に取付いた状態では、電池１１から基板上のコネクタ４１に接続されたケーブル１２の位置が定まらず、ケーブル１２が基板の部品搭載側や基板の反対面側に配置されるかもしれない。
このとき、下記の問題がある。
【０００９】
ケーブル１２が基板の部品搭載側にたわんだ際、ケーブル１２が基板上の部品に接触すると、部品が基板２から外れたり、部品が破壊したりする可能性がある。
ケース１に振動が加わった場合、ケーブル１２が振動で動き、基板２上の部品に接触して、部品が基板２から外れたり、部品が破壊したりする可能性がある。
【００１０】
本発明の目的は、上記の課題を解決するもので、
カバーが付いたまま、内器の操作を可能とし、また、無理にカバーを開けてもケースやカバーが破損しない電子機器カバーを提供することにある。
本発明の他の目的は、電池からのケーブルについて、ケーブルのたわみを規制することができる電子機器カバーを提供することにある。
【課題を解決するための手段】
【００１１】
このような課題を達成するために、本発明では、請求項１の電子機器カバーにおいては、
平面状のカバー本体の一端縁に設けられたヒンジ状部によりケース本体に係止されケース本体に設けられた開口部をカバー本体が覆う電子機器カバーにおいて、前記カバー本体の一端縁の両端にそれぞれ設けられ一端が前記カバー本体の裏平面に直交して設けられ前記ケース本体に設けられた係止穴に挿入される柱状の第１の支持腕と、この第１の支持腕の他端に一端が前記カバー本体の平面と平行に前記カバー本体の一端縁より突出する方向に直交して設けられ前記第１の支持腕とＬ字形を構成し前記係止穴に挿入される柱状の第２の支持腕と、この第２の支持腕の他端にカバー本体の開閉回転軸の軸方向に突出して設けられ前記係止穴に係止される係止突起と、を具備したことを特徴とする。
【００１２】
本発明の請求項２の電子機器カバーにおいては、
平面状のカバー本体の一端縁に設けられたヒンジ状部によりケース本体に係止されケース本体に設けられた開口部をカバー本体が覆う電子機器カバーにおいて、前記カバー本体に取り付けられた電池本体と、この電池本体に一端が接続されるケーブルと、このケーブルの他端に接続され前記ケース本体の開口部内の基板上に設けられたコネクタに接続されるコネクタと、前記カバー本体に設けられ前記ケーブルの途中が係止され前記カバー本体の開閉に伴い前記ケーブルの途中が前記ケーブルのたるみを吸収できるようにカバー本体の平面に平行に移動でき且つ係止される移動係止手段と、を具備したことを特徴とする。
【００１３】
本発明の請求項３の電子機器カバーにおいては、請求項２記載の電子機器カバーにおいて、
前記係止移動手段は、カバー本体の一端縁側に一端が接続され途中が前記カバー本体の平面と平行をなして前記カバー本体と前記ケーブルの途中を挟持し他端が前記カバー本体との間に他端の弾性変形により前記ケーブルの途中が通過できるような隙間を有する係止腕を具備したことを特徴とする。
【発明の効果】
【００１４】
本発明の請求項１によれば、次のような効果がある。
カバー側面に係止突起が設けられたので、ケースとカバーが分離しなくなり、カバーが付いたまま内器の操作が可能となった。これによりケース本体の開口部の操作・確認中にカバーを落下させたりする可能性がなくなった電子機器カバーが得られる。
【００１５】
無理にカバーの開放角度を大きくした場合、カバーが弾性変形によってケースから外れるため、従来例のように、ケースの突起部やカバーの穴が破壊されることがなくなった。
カバーが外れても、再びケースに組立てることが可能なため、部品の破損による製品本体の交換や部品交換が必要なくなった電子機器カバーが得られる。
【００１６】
本発明の請求項２によれば、次のような効果がある。
ケーブルが基板の部品搭載側にたわんだ際、ケーブルが基板上の部品に接触して、部品が基板から外れたり、部品が破壊したりする恐れのない電子機器カバーが得られる。
ケースに振動が加わった場合、ケーブルが振動で動き、基板上の部品に接触して、部品が基板から外れたり、部品が破壊したりする恐れのない電子機器カバーが得られる。
【００１７】
本発明の請求項３によれば、次のような効果がある。
請求項２の効果に加えて、更に、ケーブルの途中を容易に着脱でき、組立性に優れる電子機器カバーが得られる。
【図面の簡単な説明】
【００１８】
【図１】本発明の一実施例の要部構成説明図である。
【図２】図１の要部斜視構成説明図である。
【図３】図２の三面図である。
【図４】図１の動作説明図である。
【図５】図１の詳細動作説明図である。
【図６】図１の詳細動作説明図である。
【図７】図１の詳細動作説明図である。
【図８】図１の詳細動作説明図である。
【図９】図１の詳細動作説明図である。
【図１０】本発明の他の実施例の要部構成説明図である。
【図１１】本発明の他の実施例の要部構成説明図である。
【図１２】図１１の要部斜視説明図である。
【図１３】図１１の要部正面説明図である。
【図１４】図１３のＳ-Ｓ断面図である。
【図１５】図１１の動作説明図である。
【図１６】図１１の動作説明図である。
【図１７】図１１の動作説明図である。
【図１８】図１１の動作説明図である。
【図１９】図１１の動作説明図である。
【図２０】従来より一般に使用されている他の従来例の要部構成説明図である。
【発明を実施するための形態】
【００１９】
以下本発明を図面を用いて詳細に説明する。
図１は本発明の一実施例の要部構成説明図、図２は図１の要部斜視構成説明図、図３は図２の３面図で、（ａ）は正面図、（ｂ）は側面図、（ｃ）は平面図、図４は図１の動作説明図、図５から図９は図１の詳細動作説明図である。
図において、図２０と同一記号の構成は同一機能を表す。
以下、図２０との相違部分のみ説明する。
【００２０】
図１において、第１の支持腕５３は、カバー本体５１の一端縁５２の両端にそれぞれ設けられ、一端がカバー本体５１の裏平面に直交して設けられ、ケース本体１に設けられた係止穴５に挿入され柱状をなす。
【００２１】
第２の支持腕５４は、第１の支持腕５３の他端に一端が、カバー本体５１の平面と平行に、カバー本体５１の一端縁５３より突出する方向に直交して設けられ、第１の支持腕５３とＬ字形を構成し、係止穴５に挿入され柱状をなす。
係止突起５５は、第２の支持腕５４の他端に、カバー本体の開閉回転軸の軸方向に突出して設けられ、係止穴５に係止される。係止突起５５は、具体的には、数百ミクロンの寸法を有する。
【００２２】
係止突起５５を有するカバー５１をケース１にはめる場合、カバー５１を垂直方向に、カバー５１の弾性変形を利用してたわませ、カバー５１の係止突起５５を含んだ上下面の寸法を、ケース開口面の寸法よりも小さくなるように、カバー５１を撓ませながら装着する。
【００２３】
図４にケース１からカバー５１を開いた図を示す。
カバー５１を開いた場合、カバー５１は上記で述べた上下２箇所の係止突起５５によって引っ掛かり、カバー５１がケース１から分離することがなくなる。
また、第２の支持腕５４の先端に係止突起５５が設けられたため、カバー５１の開放角度は最大約９０度であるが、カバー５１をそれよりも大きい角度に開放しようとすると、カバー５１が弾性変形によってたわみ、カバー５１の係止突起５５を含んだ垂直方向の寸法）がケース１の開口面の寸法と同じ寸法になり、カバー５１がケース１から分離する。
【００２４】
カバー５１がケース１から分離する際、カバー５１の側面に付いた係止突起５５の高さは数百ミクロンと小さく、かつ、係止突起５５は柱状に突き出したものではなく、側面全体で突き出して突起の剛性が高くなっているため、係止突起５５が破壊することはない。
また、ケース１の係止穴５は、ケース１と一体で繋がっているため、ケース１の係止穴５が破壊することはない。
【００２５】
よって、カバー５１の係止突起５５が破壊する前に、カバー５１の方が撓み、ケース１からカバー５１が分離する。
なお、説明を分り易くするために、ここでは、電池１１とカバー５１に設けられたホルダー機構関係は省略する。
【００２６】
カバー５１の動作について、更に、詳しく説明する。
図５に示す如く、ケース１とカバー５１が図のように開いた状態で、ケース１とカバー５１を断面Ｔ−Ｔで切った断面図である図６と、Ｕ矢視方向から見た図である図７と示す。
更に、図６と図７の拡大図を、図８と図９に示す。
【００２７】
図８と図９において、カバー５１を無理に開放しようとすると、図９のＡにカバー５１を解放しようとする力が働く。
その際、カバー５１を解放しようとする力Ａによって、係止突起５５の角部にＢの方向に力が加わる。
この時、Ｂ方向の力は、点線の矢印Ｃ、Ｄで示したように力を分解できる。
【００２８】
そして、「カバーを解放しようとする力Ａによって、突起に加わる力の分力Ｃ」によって、カバー５１が図のＥ方向に撓む。
これは、一端縁５２の反対側でも同様の撓みが発生する。
この結果、カバー５１が撓み、ケース１の側面から外れる。
【００２９】
要するに、カバー５１を無理に開放しようとすると、第１の支持腕５３が設けられたことにより、第１の支持腕の長さがモーメントにおけるレバーとなり、力Ｃとの関係でモーメントが働き、カバー５１が撓み、カバー５１が破壊されることなく、ケース１からカバー５１が外れることになる。
【００３０】
なお、カバー５１に対する係止突起５５の位置を変えることにより、カバー５１のケース１に対する最大開放角度を０度〜９０度の任意の位置で規制することが出来る。
【００３１】
この結果、
カバー５１の側面に係止突起５５が設けられたので、ケース１とカバー５１が分離しなくなり、カバー５１が付いたまま内器の操作が可能となった。これによりケース本体１の開口部の操作・確認中にカバー５１を落下させたりする可能性がなくなった電子機器カバーが得られる。
【００３２】
無理に、カバー５１の開放角度を大きくした場合、カバー５１が弾性変形によってケース１から外れるため、従来例のように、ケースの突起部３やカバーの穴３２が破壊されることがなくなった。
カバー５１が外れても、再びケース１に組立てることが可能なため、部品の破損による製品本体１の交換や部品交換が必要なくなった電子機器カバーが得られる。
【００３３】
図１０は、本発明の他の実施例の要部構成説明図である。
図１０において、切り欠き部６２が、カバー６１の係止突起部５５近くに設けられたものである。
この結果、
カバー６１をより積極的に撓ませることができる電子機器カバーが得られる。
また、このようにすることにより、カバー６１の係止突起部５５の突き出し量を増やすことが出来る電子機器カバーが得られる。
【００３４】
図１１は本発明の他の実施例の要部構成説明図、図１２は図１１の要部斜視説明図、図１３は図１１の要部正面説明図、図１４は図１３のＳ-Ｓ断面図、図１５，図１６，図１７，図１８，図１９は図１１の動作説明図である。
【００３５】
図１１において、電池本体１１は、カバー本体７１に取り付けられている。
ケーブル１２は、この電池本体１１に一端が接続される。
コネクタ１３は、このケーブル１２の他端に接続され、ケース本体１の開口部から見えるコネクタ４１に接続される。
【００３６】
移動係止手段７２は、カバー本体７１に設けられ、ケーブル１２の途中が係止され、カバー本体７１の開閉に伴い、ケーブル１２の途中が、ケーブル１２のたるみを吸収できるように、カバー本体７１の平面に平行に移動でき、且つ、係止される。
【００３７】
この場合は、係止移動手段７２は、カバー本体７１の一端縁側に一端７３１が接続され、途中７３２がカバー本体７１の平面と平行をなして、カバー本体７１とケーブル１２の途中を挟持し、他端７３３がカバー本体７１との間に他端の弾性変形により、ケーブル１２の途中が通過できるような隙間７３４を有する係止腕７３を有する。
【００３８】
以上の構成において、組立方法は下記の如くなる。
電池１１を傾けながら、カバー７１の溝３３に入れる。
電池１１の上側を押して、カバー７１の上側のツメ３４に電池１１を引っ掛け、電池１１をツメ３４で保持させる。
電池のケーブル１２を係止腕７３とカバー７１との隙間７３４に入れる。
ケース１内の基板上のコネクタ４１に電池のコネクタ１３を接続する。
【００３９】
図１５に、電池１１をカバー７１に保持させ、電池のコネクタ１３を基板上のコネクタ４１に接続してからケース１の側面にカバー７１をはめた状態の図を示す。
この図ではケース１とカバー７１の開放角度は約９０度である。
【００４０】
図１６は、図１５の状態で、電池のケーブル１２がどのような屈曲状態になっているかを示した図である。なお、図１６ではケース１を省略している。
図１６の状態では、ケーブル１２は、ケーブル１２を引っ掛けた係止腕７３とカバー７１との隙間に対して、カバーの一端縁５２の近くに位置する。
これはカバー７１の開放角度が広いため、電池のコネクタ１３を接続した基板上のコネクタ４１と電池１１との距離が遠いためである。
【００４１】
図１７は、図１５と同様の状態であるが、カバー７１の開放角度が約４５度となっている。なお、図１８ではケース１を省略している。
図１８の状態ではケーブル１２は、ケーブル１２を引っ掛けた係止腕７３とカバー７１との隙間に対して、係止腕７３中央付近に位置する。
【００４２】
これはカバー７１の開放角度が狭くなったことで、ケーブル１２が係止腕７３の中央付近に位置したことと、先ほどの図１６の状態よりもケーブル１２の長さに余りが生じてケーブルがたわみ始めたため、ケーブル１２の弾性によってケーブル１２の位置が、係止腕７３とカバー７１との隙間の中央付近に移動したためである。
【００４３】
図１９は電池を付けた状態のカバー７１を、ケース１に取付けた（閉めた）状態の図である。
なお、カバー７１、基板上のコネクタ４１、電池１１と電池のケーブル１２と電池のコネクタ１３以外の部品は省略している。
【００４４】
この状態ではケーブル１２は、ケーブル１２を引っ掛けた係止腕７３とカバー７１との隙間に対して、係止腕７３の他端７３３側に位置する。
これはカバー７１をケース１に付けたことで、図１８の状態よりもさらにケーブル１２の長さに余りが生じてケーブル１２が更にたわんだため、ケーブル１２の弾性によって、ケーブル１２が係止腕７３の他端７３３側に移動したためである。
【００４５】
図１９の状態では、ケーブル１２は係止腕７３から外れることはないので、ケーブル１２が基板２側に移動することはない。
また、ケーブル１２に振動がかかったとしても、ケーブル１２は係止腕７３で動きが規制されているため、ケーブル１２が基板２の側に移動することはない。
【００４６】
次に、係止腕７３が無い場合について述べる。
電池１１をカバー７１に取付ける際、ケーブル１２のたわむ量が増えるため、ケーブル１２が基板２側に屈曲する可能性が高い。
ケーブル１２が基板２側に屈曲して、ケーブル１２が基板２上の部品に接触すると、部品が基板２から外れたり、部品が破壊したりする可能性がある。
【００４７】
この結果、
ケーブル１２が基板２の部品搭載側にたわんだ際、ケーブル１２が基板２上の部品に接触して、部品が基板から外れたり、部品が破壊したりする恐れのない電子機器カバーが得られる。
【００４８】
ケース１に振動が加わった場合、ケーブル１２が振動で動き、基板２上の部品に接触して、部品が基板から外れたり、部品が破壊したりする恐れのない電子機器カバーが得られる。
ケーブル１２の途中を、係止腕７３に容易に着脱でき、組立性に優れる電子機器カバーが得られる。
【００４９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００５０】
１      ケース
２      基板
３      突起部
４      止爪
５      係止穴
１１    電池
１２    ケーブル
１３    コネクタ
３１    カバー
３２    穴
３３    溝
３４    爪
３５    止爪
４１    コネクタ
５１    カバー本体
５２    一端縁
５３    第１の支持腕
５４    第２の支持腕
５５    係止突起
６１    カバー
６２    切り欠き部
７１    カバー本体
７２    移動係止手段
７３    係止腕
７３１  一端
７３２  途中
７３３  他端
７３４  隙間
【図１】
2012015188.tif 000003
【図２】
2012015188.tif 000004
【図３】
2012015188.tif 000005
【図４】
2012015188.tif 000006
【図５】
2012015188.tif 000007
【図６】
2012015188.tif 000008
【図７】
2012015188.tif 000009
【図８】
2012015188.tif 000010
【図９】
2012015188.tif 000011
【図１０】
2012015188.tif 000012
【図１１】
2012015188.tif 000013
【図１２】
2012015188.tif 000014
【図１３】
2012015188.tif 000015
【図１４】
2012015188.tif 000016
【図１６】
2012015188.tif 000017
【図１８】
2012015188.tif 000018
【図１９】
2012015188.tif 000019
【図２０】
2012015188.tif 000020
【図１５】
2012015188.tif 000021
【図１７】
2012015188.tif 000022